(57)【特許請求の範囲】
【請求項１】
画像の表示面を有し、非接触ＩＣカードと通信するカードリーダの動作方法において、
処理を開始するための操作を受け付け、
非接触ＩＣカードをかざすべき前記表示面上の所定部分に、非接触ＩＣカードをかざすべき場所を示す画像として、データを読み出すことが可能な複数種類の非接触ＩＣカードの中の、一部の種類のかざすべき非接触ＩＣカードの種類別の外観の画像を表示し、
前記所定部分にかざされた非接触ＩＣカードに記録されたデータを電波を介して読み出すこと
を特徴とする動作方法。
【請求項２】
非接触ＩＣカードをかざすべきタイミングで、前記所定部分に前記非接触ＩＣカードの外観を示す画像を表示すること
を特徴とする請求項１に記載の動作方法。
【請求項３】
非接触ＩＣカードをかざすべき向きを示すように、前記所定部分に前記非接触ＩＣカードの外観を示す画像を表示すること
を特徴とする請求項１又は２に記載の動作方法。
【請求項４】
前記表示面上に、かざされている非接触ＩＣカードを前記所定部分から外すことを指示する画像を表示すること
を特徴とする請求項１から３までのいずれか一つに記載の動作方法。
【請求項５】
前記非接触ＩＣカードを前記所定部分から外すべきタイミングで、前記非接触ＩＣカードを前記所定部分から外すことを指示する画像を前記表示面上に表示すること
を特徴とする請求項４に記載の動作方法。
【請求項６】
非接触ＩＣカードと通信するカードリーダにおいて、
請求項１から５までのいずれか一つに記載の動作方法で動作することを特徴とするカードリーダ。
【発明の詳細な説明】
【技術分野】
【０００１】
本発明は、非接触ＩＣカードに記録されたデータを電波を介して非接触で読み出すカードリーダの動作方法及びカードリーダに関する。
【背景技術】
【０００２】
従来、ＩＣ（integrated circuit）チップをカード内に内蔵し、データを記録するＩＣカードが普及しており、データの読み出しを非接触で行う非接触ＩＣカードも普及している。特許文献１には、非接触ＩＣカードに記録されたデータを読み出すカードリーダが開示されている。非接触ＩＣカードから読み出されたデータは、個人認証又は決済等の情報処理に利用される。非接触ＩＣカードのカードリーダは、住民基本台帳カードを用いて個人認証を行った上で住民票を発行する端末等、非接触ＩＣカードを利用したサービスを提供する情報処理装置に備えられている。カードリーダは、通常、面状の読み出し部の至近距離に非接触ＩＣカードがかざされた場合、又は所定の挿入口に非接触ＩＣカードが挿入された場合に、非接触ＩＣカードからデータを読み出す。カードリーダには、使用者に対して読み出し部の位置を知らせる機能を備えているものがある。例えば、画像表示部に読み出し部の位置を示す画像を表示するもの、又は読み出し部を光らせるものが存在する。
【先行技術文献】
【特許文献】
【０００３】
【特許文献１】特開２００８−１８１３７１号公報
【発明の概要】
【発明が解決しようとする課題】
【０００４】
従来のカードリーダでは、読み出し部の位置を使用者に知らせる機能を備えていたとしても、使用者にとって読み出し部の位置が分かりづらく不便であるという問題がある。特に、読み出し部の位置を示す画像を画像表示部に表示するカードリーダでは、使用者は読み出し部を探すために画像表示部から視線を外す必要があり、カードリーダの使用が不便である。
【０００５】
本発明は、斯かる事情に鑑みてなされたものであって、その目的とするところは、使用者が画像表示部から視線を外さずに非接触ＩＣカードを適切に扱うことを可能にしたカードリーダの動作方法及びカードリーダを提供することにある。
【課題を解決するための手段】
【０００６】
本発明に係る動作方法は、画像の表示面を有し、非接触ＩＣカードと通信するカードリーダの動作方法において、処理を開始するための操作を受け付け、非接触ＩＣカードをかざすべき前記表示面上の所定部分に、非接触ＩＣカードをかざすべき場所を示す画像として、データを読み出すことが可能な複数種類の非接触ＩＣカードの中の、一部の種類のかざすべき非接触ＩＣカードの種類別の外観の画像を表示し、前記所定部分にかざされた非接触ＩＣカードに記録されたデータを電波を介して読み出すことを特徴とする。
【０００７】
本発明に係る動作方法は、非接触ＩＣカードをかざすべきタイミングで、前記所定部分に前記非接触ＩＣカードの外観を示す画像を表示することを特徴とする。
【０００８】
本発明に係る動作方法は、非接触ＩＣカードをかざすべき向きを示すように、前記所定部分に前記非接触ＩＣカードの外観を示す画像を表示することを特徴とする。
【０００９】
本発明に係る動作方法は、前記表示面上に、かざされている非接触ＩＣカードを前記所定部分から外すことを指示する画像を表示することを特徴とする。
本発明に係る動作方法は、前記非接触ＩＣカードを前記所定部分から外すべきタイミングで、前記非接触ＩＣカードを前記所定部分から外すことを指示する画像を前記表示面上に表示することを特徴とする。
【００１０】
本発明に係るカードリーダは、非接触ＩＣカードと通信するカードリーダにおいて、本発明に係る動作方法で動作することを特徴とする。
【発明の効果】
【００１１】
本発明にあっては、使用者は、カードリーダの表示面から視線を外さずに非接触ＩＣカードをかざすべき部分を認識することができ、データを読み出すために適切な位置に非接触ＩＣカードをかざすことが可能である。従って、カードリーダの利便性が向上し、カードリーダの誤操作が発生する可能性も低くなる等、本発明は優れた効果を奏する。
【図面の簡単な説明】
【００１２】
【図１】実施の形態１に係る情報処理装置の一例を示す模式図である。
【図２】実施の形態１に係る情報処理装置を構成するカードリーダ及びコピー機の内部の機能構成を示すブロック図である。
【図３】表示パネルの模式的側面図である。
【図４】表示パネルの模式的背面図である。
【図５】非接触ＩＣカードの外観の例を示す模式図である。
【図６】実施の形態１に係るカードリーダが実行する処理の手順を示すフローチャートである。
【図７】非接触ＩＣカードをかざすべき場所を表す画像の例を示す模式図である。
【図８】非接触ＩＣカードを外すことを使用者に指示する画像の例を示す模式図である。
【図９】実施の形態７に係る情報処理装置の一例を示す模式図である。
【図１０】実施の形態７に係る情報処理装置の内部の機能構成を示すブロック図である。
【図１１】実施の形態７に係る情報処理装置が実行する処理の手順を示すフローチャートである。
【図１２】実施の形態７に係るメニュー画面の例を示す模式図である。
【図１３】実施の形態７に係るメニュー画面の例を示す模式図である。
【図１４】実施の形態７に係る非接触ＩＣカードをかざすべき場所を表す画像の例を示す模式図である。
【図１５】実施の形態８に係る情報処理装置の一例を示す模式図である。
【図１６】実施の形態８に係るメニュー画面の例を示す模式図である。
【図１７】実施の形態８に係る非接触ＩＣカードをかざすべき場所を表す画像の例を示す模式図である。
【図１８】実施の形態９に係る情報処理装置の一例を示す模式図である。
【図１９】実施の形態９に係るメニュー画面の例を示す模式図である。
【図２０】実施の形態９に係る非接触ＩＣカードをかざすべき場所を表す画像の例を示す模式図である。
【発明を実施するための形態】
【００１３】
以下本発明をその実施の形態を示す図面に基づき具体的に説明する。
（実施の形態１）
図１は、実施の形態１に係る情報処理装置の一例を示す模式図である。本実施の形態では、記録媒体が非接触ＩＣカードであり、本発明のデータ読み出し装置がカードリーダであり、本発明の情報処理装置がカードリーダ及びコピー機から構成されている例を示す。カードリーダは、画像を表示するための表示面１１を有する画像表示部１を備えている。図２は、実施の形態１に係る情報処理装置を構成するカードリーダ２及びコピー機４の内部の機能構成を示すブロック図である。カードリーダ２は、カードリーダ２の制御を行うリーダ制御部２１と、非接触ＩＣカードからデータを読み出すための読み出し部３と、使用者の操作を受け付ける操作部２２とを備えている。画像表示部１、読み出し部３及び操作部２２は、リーダ制御部２１に接続されている。
【００１４】
画像表示部１は、ＬＣＤ（Liquid Crystal Display）パネル又はＥＬ（Electro Luminescence）パネル等の表示パネル１２と、表示パネル１２に画像を表示させる表示制御部１３とを含んでいる。リーダ制御部２１は、特定の画像信号を画像表示部１へ入力し、表示制御部１３は、入力された画像信号に基づいた特定の画像を表示パネル１２に表示させる。表示パネル１２の一面が表示面１１になっており、表示面１１上に画像が表示される。リーダ制御部２１は、本発明における制御手段に対応する。操作部２２は、テンキー又はタッチパネル等で構成されている。なお、操作部２２は、画像表示部１と一体に構成されていてもよい。
【００１５】
読み出し部３は、非接触ＩＣカードとの間で電波を介した無線通信を行うためのアンテナ３１と、信号処理部３２とを含んでいる。アンテナ３１は信号処理部３２に接続され、信号処理部３２はリーダ制御部２１に接続されている。リーダ制御部２１は、信号処理部３２の動作を制御する。信号処理部３２は、アンテナ３１を用いたデータの送受信制御、及び受信したデータの処理を行い、アンテナ３１を用いて非接触ＩＣカードとの間で通信を行うことによって、非接触ＩＣカードに記録されたデータを読み出す。信号処理部３２は、読み出したデータをリーダ制御部２１へ入力する。リーダ制御部２１は、信号処理部３２を制御することによって、電波を介して非接触ＩＣカードからデータを読み出す。リーダ制御部２１及び読み出し部３は、本発明における読み出し手段に対応する。
【００１６】
図３は、表示パネル１２の模式的側面図である。表示パネル１２がＬＣＤパネルである場合は、表示パネル１２はバックライトを含んでいる。表示パネル１２の表示面１１に対する裏面１４には、アンテナ３１が配置されている。図４は、表示パネル１２の模式的背面図である。アンテナ３１は、非接触ＩＣカードと無線通信を行うための電磁誘導コイルアンテナである。アンテナ３１の形状は、使用される非接触ＩＣカードの形状及び通信に用いられる電波の周波数（例えば、１３．５６ＭＨｚ）等に基づいて予め適切に決定されている。例えば、アンテナ３１はループアンテナの形状になっている。アンテナ３１は、表示パネル１２の裏面１４の所定の位置に配置されている。例えば、アンテナ３１は両面テープで表示パネル１２の裏面１４に貼り付けられている。また、アンテナ３１は、図示しない信号線で信号処理部３２に接続されている。
【００１７】
図５は、非接触ＩＣカードの外観の例を示す模式図である。非接触ＩＣカードの外観は、表裏、左右及び上下の区別が容易な外観となっており、使用者が非接触ＩＣカードを手に持ったときの非接触ＩＣカードの向きが外観から容易に判別可能となっている。非接触ＩＣカードは、図示しないＩＣチップ及びアンテナを内蔵しており、固有のカード番号等のデータを記録している。例えば、アンテナ３１の形状は、非接触ＩＣカードの形状に合わせた形状になっている。
【００１８】
コピー機４は、コピー機４の制御を行うコピー制御部４１と、スキャナ部４２と、画像を形成して記録用紙に記録する画像形成部４３とを備えている。スキャナ部４２及び画像形成部４３は、コピー制御部４１に接続されている。また、コピー制御部４１には、リーダ制御部２１が接続されている。リーダ制御部２１は、非接触ＩＣカードから読み取ったデータをコピー制御部４１へ入力し、コピー制御部４１は、入力されたデータを用いた決済の情報処理を行い、スキャナ部４２及び画像形成部４３にコピーを実行させる。
【００１９】
次に、カードリーダ２の動作を説明する。図６は、実施の形態１に係るカードリーダ２が実行する処理の手順を示すフローチャートである。使用者がコピー機４を使用して自己の保有する非接触ＩＣカードを用いてコピー代金の決済をし、コピーを行おうとする場合、使用者は、操作部２２を操作して、決済の指示を入力する。カードリーダ２は、決済の指示を入力する操作を操作部２２で受け付け（Ｓ１）、リーダ制御部２１は、非接触ＩＣカードをかざすべき場所として表示面１１上の所定部分を表す画像を画像表示部１に表示させる（Ｓ２）。
【００２０】
図７は、非接触ＩＣカードをかざすべき場所を表す画像の例を示す模式図である。表示面１１上の所定部分に非接触ＩＣカードの画像が表示され、非接触ＩＣカードの画像を指す画像と、「カードをここにかざして下さい」との非接触ＩＣカードをかざすことを促す文の画像とが表示される。表示面１１上で非接触ＩＣカードの画像が表示される部分は、表示パネル１２の裏面１４の内でアンテナ３１が配置されている部分の正面側に位置する部分であり、アンテナ３１の位置に応じて予め定められている。逆に言えば、アンテナ３１は、表示パネル１２の裏面１４の内、Ｓ２で非接触ＩＣカードの画像が表示される部分の裏面側に位置する部分に配置されている。このような画像を表示することにより、カードリーダ２は、表示面１１上の所定部分に非接触ＩＣカードをかざすことを使用者に促す。画像表示部１に表示された画像を視認した使用者は、所有する非接触ＩＣカードを、表示面１１上の非接触ＩＣカードの画像が表示された部分にかざす。このとき、使用者は、非接触ＩＣカードを表示面１１に接触させるか、又は近接させる。Ｓ２で非接触ＩＣカードの画像が表示された部分に非接触ＩＣカードがかざされた場合は、非接触ＩＣカードからアンテナ３１までの距離が可及的に短くなり、読み出し部３が非接触ＩＣカードと通信を行ってデータを読み出すことが容易となる。
【００２１】
非接触ＩＣカードをかざすべき場所を表すために、表示面１１上に非接触ＩＣカードの画像が表示されるので、使用者にとって、非接触ＩＣカードをかざすべき場所が分かり易い。カードリーダ２を操作する使用者は、表示面１１から視線を外さずに非接触ＩＣカードをかざすべき場所を認識することができ、容易に適切な位置に非接触ＩＣカードをかざすことが可能である。
【００２２】
リーダ制御部２１は、次に、読み出し部３を制御して非接触ＩＣカードと通信し、非接触ＩＣカードに記録されたデータを電波を介して読み出す処理を行い、非接触ＩＣカードから実際にデータを読み出したか否かを判定する（Ｓ３）。表示面１１上の非接触ＩＣカードの画像が表示された部分に使用者がまだ非接触ＩＣカードをかざしていない状態では、非接触ＩＣカードからデータを読み出すことはできない。非接触ＩＣカードからデータを読み出していない場合は（Ｓ３：ＮＯ）、リーダ制御部２１は、非接触ＩＣカードからデータを読み出す処理を繰り返す。非接触ＩＣカードから実際にデータを読み出した場合は（Ｓ３：ＹＥＳ）、リーダ制御部２１は、表示面１１にかざしていた非接触ＩＣカードを外すことを使用者に指示する画像を画像表示部１に表示させる（Ｓ４）。
【００２３】
図８は、非接触ＩＣカードを外すことを使用者に指示する画像の例を示す模式図である。非接触ＩＣカードを表示面１１から外すことを指示する文の画像が表示される。使用者は、非接触ＩＣカードを外すタイミングを認識することができ、処理の進捗を推測することができる。リーダ制御部２１は、非接触ＩＣカードから読み出したデータをコピー制御部４１へ入力し（Ｓ５）、データ読み出しの処理を終了する。コピー制御部４１は、入力されたデータを用いた決済の情報処理を行い、スキャナ部４２及び画像形成部４３にコピーを実行させる。
【００２４】
以上詳述した如く、本実施の形態においては、カードリーダ２は、非接触ＩＣカードをかざすべき場所として表示面１１上の所定部分を表す画像を表示し、かざされた非接触ＩＣカードから電波を介してデータを読み出す。使用者は、表示面１１から視線を外さずに非接触ＩＣカードをかざすべき場所を認識することができ、データを読み出すために適切な位置に非接触ＩＣカードをかざすことが可能である。このため、カードリーダ２の利便性が向上し、カードリーダ２の誤操作が発生する可能性も低い。また、カードリーダ２は、表示面１１上にかざされた非接触ＩＣカードからデータを読み出すように構成されているので、画像表示部１とは別に非接触ＩＣカードがかざされるための部品を備える必要が無く、画像表示部１とは別に非接触ＩＣカードをかざすべき場所を指示する機能を備える必要も無い。このため、カードリーダ２を構成するために必要な部品が削減され、コストの削減が可能となり、またカードリーダ２の小型化が可能となる。
【００２５】
（実施の形態２）
実施の形態２においては、カードリーダ２は、使用者が非接触ＩＣカードをかざすべきタイミングを示す画像を表示する。カードリーダ２は、通常は、図７に示す如き非接触ＩＣカードをかざすべき場所を示す画像を表示しておらず、図６に示す処理と同様の処理を行い、Ｓ２の処理で初めて非接触ＩＣカードをかざすべき場所を示す画像を画像表示部１に表示する。このように、カードリーダ２は、使用者が非接触ＩＣカードをかざすべきタイミングで初めて非接触ＩＣカードの画像を表示することにより、使用者が非接触ＩＣカードをかざすべきタイミングを示す。また、カードリーダ２は、非接触ＩＣカードをかざすべき場所を示す画像と共に、「今、カードをかざして下さい」等の使用者が非接触ＩＣカードをかざすべきタイミングを言葉で説明する文の画像を表示してもよい。使用者は、表示面１１から視線を外さずに非接触ＩＣカードをかざすタイミングを認識することができ、データを読み出すために適切なタイミングで非接触ＩＣカードをかざすことが容易となる。
【００２６】
（実施の形態３）
実施の形態３においては、カードリーダ２は、使用者がかざすべき非接触ＩＣカードの向きを示す画像を表示する。カードリーダ２は、図６に示す処理と同様の処理を行い、Ｓ２で、非接触ＩＣカードをかざすべき場所を示す画像として、表裏、左右及び上下の区別が容易な外観を有する非接触ＩＣカードの詳細な外観を示す画像を画像表示部１に表示する。使用者は、表示された画像と同じ向きで非接触ＩＣカードをかざす傾向がある。このように、カードリーダ２は、非接触ＩＣカードの外観を示す画像を表示することにより、使用者がかざすべき非接触ＩＣカードの向きを示すことができる。また、カードリーダ２は、非接触ＩＣカードをかざすべき場所を示す画像と共に、矢印等の図形を用いて非接触ＩＣカードの向きを示す画像を表示してもよい。また、カードリーダ２は、非接触ＩＣカードをかざすべき場所を示す画像と共に、「表面を自分に向け、上下を合わせてかざして下さい」等の非接触ＩＣカードの向きを言葉で説明する文の画像を表示してもよい。使用者は、表示面１１から視線を外さずに非接触ＩＣカードをかざす向きを認識することができ、データを読み出すために適切な向きで非接触ＩＣカードをかざすことが容易となる。また、カードリーダ２は、データを読み出すために適切な非接触ＩＣカードの向きを指定することで、確実に非接触ＩＣカードからデータを読み出すことができる。また、非接触ＩＣカードの向きが指定されるので、任意の向きの非接触ＩＣカードからデータを読み出すことができるように読み出し部３を構成しておく必要が無く、読み出し部３を簡易な構成とすることが可能となる。このため、カードリーダ２のコストの削減が可能となる。
【００２７】
（実施の形態４）
実施の形態１〜３においては、アンテナ３１を表示パネル１２の裏面１４に配置した形態を示したが、本実施の形態においては、表示面１１にかざされた非接触ＩＣカードと通信が可能なその他の位置に配置されている。アンテナ３１は、表示面１１にかざされた非接触ＩＣカードと通信ができる位置であれば、その他の位置に配置されてあってもよい。
例えば、アンテナ３１は、画像表示部１の額縁部分に配置されている。
【００２８】
（実施の形態５）
本実施の形態においては、カードリーダ２は、一種類の非接触ＩＣカードだけではなく、複数種類の非接触ＩＣカードからデータを読み出すことができる形態である。読み出し部３は、複数種類の非接触ＩＣカードからデータを読み出すことが可能な構成となっている。本実施の形態では、カードリーダ２は、Ｓ２で、かざすべき非接触ＩＣカードの種類別の画像を画像表示部１に表示する。また、カードリーダ２は、非接触ＩＣカードの画像を表示せずに、非接触ＩＣカードをかざすべき場所を示す画像を表示してもよい。
【００２９】
（実施の形態６）
本実施の形態においては、カードリーダ２は、非接触ＩＣカードに対してデータを書き込む機能を更に備える。読み出し部３は、電波を介して非接触で非接触ＩＣカードへデータを書き込む機能を有する。信号処理部３２は、アンテナ３１を用いて非接触ＩＣカードとの間で通信を行うことによって、非接触ＩＣカードに記録されたデータを読み出す。リーダ制御部２１は、信号処理部３２の動作を制御する。例えば、非接触ＩＣカードはプリペイドカードであり、コピー制御部４１が決済の処理を行い、カードリーダ２は決済後の金額を非接触ＩＣカードに書き込む処理を行う。
【００３０】
（実施の形態７）
実施の形態１〜６においては、本発明の情報処理装置がコピー機４を含んで構成された形態を示したが、実施の形態７においては、情報処理装置が商店端末機器である形態を示す。図９は、実施の形態７に係る情報処理装置５の一例を示す模式図であり、図１０は、実施の形態７に係る情報処理装置５の内部の機能構成を示すブロック図である。本実施の形態では、情報処理装置５は、カードリーダ２を含んだ商店端末機器で構成されている。商店端末機器は、コンビニエンスストア又はスーパーマーケット等の商店に設置されており、客の操作に応じて種々のサービスを提供するための端末機器である。例えば、商店端末機器は、マルチメディアステーション、又は写真プリント端末である。商店端末機器は、ポイントの付与、クーポンの発行、料金の支払い、又は写真プリント等のサービスのための情報処理を実行する。商店端末機器の使用者は、商店の客である。
【００３１】
カードリーダ２は、リーダ制御部２１と、読み出し部３と、使用者の操作を受け付けるタッチパネル２３とを備えている。画像表示部１、読み出し部３及びタッチパネル２３は、リーダ制御部２１に接続されている。画像表示部１は、表示パネル１２と、表示制御部１３とを含んでいる。表示パネル１２の一面が表示面１１になっており、タッチパネル２３は表示面１１に重ねて構成されている。読み出し部３は、アンテナ３１と、信号処理部３２とを含んでいる。アンテナ３１の配置は、実施の形態１〜６と同様である。更に、情報処理装置５は、商店端末機器として必要な情報処理を実行する情報処理部５１を備えている。情報処理部５１には、リーダ制御部２１が接続されている。リーダ制御部２１は、非接触ＩＣカードから読み取ったデータを情報処理部５１へ入力し、情報処理部５１は、入力されたデータを用いた情報処理を実行する。
【００３２】
次に、本実施の形態に係る情報処理装置５の処理を説明する。処理の例として、使用者が非接触ＩＣカードを用いて料金支払いを行う際の処理を示す。図１１は、実施の形態７に係る情報処理装置５が実行する処理の手順を示すフローチャートである。使用者は、タッチパネル２３を操作して、料金支払いの指示を入力する。このとき、画像表示部１は、メニュー画面を表示し、使用者はメニュー画面を利用して指示を入力する。図１２及び図１３は、実施の形態７に係るメニュー画面の例を示す模式図である。図１２に示すように、「料金支払い」が記載されたボタンを含む複数のボタンが表示面１１に表示され、使用者は、「料金支払い」のボタンを指定すべくタッチパネル２３を操作する。ボタンの指定に応じて、図１３に示す如く、料金の支払先の一覧が表示面１１に表示され、使用者は、特定の支払先が記載されたボタンを指定すべくタッチパネル２３を操作する。カードリーダ２は、料金支払いの指示を入力する操作をタッチパネル２３で受け付ける（Ｓ１１）。      
【００３３】
リーダ制御部２１は、非接触ＩＣカードをかざすべき表示面１１上の所定部分を表す画像を画像表示部１に表示させる（Ｓ１２）。図１４は、実施の形態７に係る非接触ＩＣカードをかざすべき場所を表す画像の例を示す模式図である。実施の形態１〜６と同様に、非接触ＩＣカードがかざされた場合に非接触ＩＣカードとアンテナ３１との無線通信が可能になる位置に、非接触ＩＣカードの画像が表示される。非接触ＩＣカードには、例えば、使用者を識別する識別番号が記録されている。カードリーダ２は、キャンセルの指示の受付を待ち受ける（Ｓ１３）。キャンセルの指示を入力する操作をタッチパネル２３で受け付けた場合は（Ｓ１３：ＹＥＳ）、リーダ制御部２１は、処理を終了する。キャンセルの指示の受付が無い場合は（Ｓ１３：ＮＯ）、リーダ制御部２１は、読み出し部３を制御して非接触ＩＣカードと通信し、非接触ＩＣカードに記録されたデータを読み出す処理を行い、実際にデータを読み出したか否かを判定する（Ｓ１４）。非接触ＩＣカードが認識されない、又は非接触ＩＣカードが無効である等、非接触ＩＣカードからデータを読み出すことができない場合がある。非接触ＩＣカードからデータを読み出していない場合は（Ｓ１４：ＮＯ）、リーダ制御部２１は、処理をＳ１２へ戻す。非接触ＩＣカードからデータを読み出した場合は（Ｓ１４：ＹＥＳ）、リーダ制御部２１は、読み出したデータがカードリーダ２に対応するデータであるか否かを判定する（Ｓ１５）。データがカードリーダ２に対応しない場合は（Ｓ１５：ＮＯ）、リーダ制御部２１は、データが非対応であることを示すエラー画像を画像表示部１に表示させ（Ｓ１６）、処理をＳ１２へ戻す。例えば、カードリーダ２に非対応の非接触ＩＣカードが認識された場合にデータが非対応になる。なお、リーダ制御部２１は、Ｓ１６を実行した時点で処理を終了してもよい。
【００３４】
非接触ＩＣカードから読み出したデータがカードリーダ２に対応するデータである場合は（Ｓ１５：ＹＥＳ）、リーダ制御部２１は、非接触ＩＣカードから読み出したデータを情報処理部５１へ入力する（Ｓ１７）。例えば、使用者の識別番号が非接触ＩＣカードに記録されている場合、識別番号が非接触ＩＣカードから読み出され、情報処理部５１へ入力される。情報処理部５１は、入力されたデータを用いて、料金支払いのための情報処理を実行する（Ｓ１８）。例えば、情報処理部５１は、使用者の識別番号を用いて使用者を認証し、使用者が支払うべく予め定められている料金の金額をオンラインで特定し、料金をオンライン決済する処理を行う。また例えば、情報処理装置５はプリント機能を備えており、情報処理部５１は、使用者に対して請求書を発行する処理を行う。情報処理が終了した後は、情報処理部５１は、情報処理が終了したことを示す情報をリーダ制御部２１へ入力し、リーダ制御部２１は、料金支払いのための処理が終了したことを示す画像、又は非接触ＩＣカードを外すことを指示する画像を画像表示部１に表示させる。情報処理装置５は、以上で処理を終了する。なお、情報処理装置５は、同様にして、非接触ＩＣカードからデータを読み出して、料金支払いの処理以外にも、商店端末機器としての処理を実行することができる。
【００３５】
（実施の形態８）
実施の形態８においては、情報処理装置がＰＯＳ（Point of sale ）システム端末である形態を示す。図１５は、実施の形態８に係る情報処理装置５の一例を示す模式図である。本実施の形態では、情報処理装置５は、カードリーダ２を含んだＰＯＳシステム端末で構成されている。図１５には、ガソリンスタンドに設置されたＰＯＳシステム端末の例を示している。なお、情報処理装置５は、コンビニエンスストア又はスーパーマーケット等の商店に設置された会計レジスタの機能を有するＰＯＳシステム端末であってもよい。このＰＯＳシステム端末は、非接触ＩＣカードへのポイントの記録又は非接触ＩＣカードに記録されたポイントの利用を行う。ＰＯＳシステム端末の使用者は、客又は店員である。情報処理装置５の内部の機能構成は、図１０に示した実施の形態７と同様である。情報処理部５１は、ＰＯＳシステム端末に必要な情報処理を実行する。
【００３６】
本実施の形態に係る情報処理装置５の処理を説明する。処理の例として、使用者が非接触ＩＣカードに記録されたポイントを利用して給油を行う際の処理を示す。情報処理装置５が実行する処理の手順は、図１１に示した実施の形態７と同様である。画像表示部１は、メニュー画面を表示し、使用者はメニュー画面を利用して給油及びポイント利用の指示を入力する。図１６は、実施の形態８に係るメニュー画面の例を示す模式図である。図１６に示すように、燃料の種類を選択するための複数のボタン及び「ポイント利用」が記載されたボタンが表示面１１に表示され、使用者は、いずれかの燃料を選択するためのボタンと「ポイント利用」のボタンとを指定すべくタッチパネル２３を操作する。Ｓ１１で、カードリーダ２は操作をタッチパネル２３で受け付ける。
【００３７】
Ｓ１２で、リーダ制御部２１は、非接触ＩＣカードをかざすべき表示面１１上の所定部分を表す画像を画像表示部１に表示させる。図１７は、実施の形態８に係る非接触ＩＣカードをかざすべき場所を表す画像の例を示す模式図である。実施の形態１〜７と同様に、表示面１１の所定の位置に非接触ＩＣカードの画像が表示される。非接触ＩＣカードには、ポイントが記録されている。Ｓ１４で、リーダ制御部２１は、非接触ＩＣカードに記録されたデータを読み出す。ポイントが非接触ＩＣカードから読み出され、情報処理部５１へ入力される。Ｓ１８で、情報処理部５１は、入力されたデータを用いて、給油及びポイント利用のための情報処理を実行する。例えば、情報処理部５１は、給油量に応じた値を差し引いたポイントを示すデータをリーダ制御部２１へ入力し、リーダ制御部２１は、読み出し部３に更新されたポイントを非接触ＩＣカードに記録させる処理を行う。また例えば、情報処理部５１は、給油料金からポイントに応じた金額を減算し、減算後の料金を決済する処理を行う。なお、情報処理装置５は、同様にして、給油量に応じたポイントを非接触ＩＣカードへ記録する処理を実行することができる。また、情報処理装置５は、デビットカード、クレジットカード、プリペイドカード又はポストペイカードである非接触ＩＣカードを利用して、給油料金の決済を行う形態であってもよい。
【００３８】
（実施の形態９）
実施の形態９においては、情報処理装置がＡＴＭ（Automated teller machine）である形態を示す。図１８は、実施の形態９に係る情報処理装置５の一例を示す模式図である。本実施の形態では、情報処理装置５は、カードリーダ２を含んだＡＴＭで構成されている。ＡＴＭは、非接触ＩＣカードでなるキャッシュカードを用いた銀行取引を行う。情報処理装置５の内部の機能構成は、図１０に示した実施の形態７と同様である。情報処理部５１は、ＡＴＭに必要な情報処理を実行する。
【００３９】
本実施の形態に係る情報処理装置５の処理を説明する。情報処理装置５が実行する処理の手順は、図１１に示した実施の形態７と同様である。画像表示部１は、メニュー画面を表示し、使用者はメニュー画面を利用して取引の指示を入力する。図１９は、実施の形態９に係るメニュー画面の例を示す模式図である。図１９に示すように、引出し、預入れ及び残高照会等の取引を選択するための複数のボタンが表示面１１に表示され、使用者は、いずれかの取引を選択するためのボタンを操作する。例えば、使用者は、「残高照会」のボタンを指定すべくタッチパネル２３を操作する。Ｓ１１で、カードリーダ２は操作をタッチパネル２３で受け付ける。
【００４０】
Ｓ１２で、リーダ制御部２１は、非接触ＩＣカードをかざすべき表示面１１上の所定部分を表す画像を画像表示部１に表示させる。図２０は、実施の形態９に係る非接触ＩＣカードをかざすべき場所を表す画像の例を示す模式図である。実施の形態１〜８と同様に、表示面１１の所定の位置に非接触ＩＣカードでなるキャッシュカードの画像が表示される。非接触ＩＣカードには、例えば口座番号が記録されている。Ｓ１４で、リーダ制御部２１は、非接触ＩＣカードに記録されたデータを読み出す。Ｓ１８で、情報処理部５１は、読み出されたデータを用いて、銀行取引のための情報処理を実行する。例えば、情報処理部５１は、口座番号に基づいて口座残高を特定し、残高を示すデータをリーダ制御部２１へ入力し、リーダ制御部２１は、表示部１に残高を数値で示す画像を表示させる処理を行う。また、このとき、情報処理装置５は、非接触ＩＣカードが認識されたことを示し、更に暗証番号の入力を促す画像を表示部１に表示し、暗証番号の入力を受け付け、非接触ＩＣカードから読み出したデータ及び暗証番号を用いた情報処理を行ってもよい。なお、情報処理装置５は、同様にして、引出し又は預入れ等、残高照会以外の銀行取引の処理を実行することができる。
【００４１】
なお、情報処理装置５は、以上の実施の形態１〜９で説明した方法以外の方法で、非接触ＩＣカードを利用して金銭を取り扱う処理を行う形態であってもよい。例えば、情報処理装置５は、非接触ＩＣカードに電子マネーをチャージする装置であってもよい。
【００４２】
（実施の形態１０）
実施の形態１〜９においては、非接触ＩＣカードから読み出したデータを用いて金銭を扱う処理を行う形態を示したが、本実施の形態に係る情報処理装置は、個人認証の処理等、非接触ＩＣカードから読み出したデータを用いてその他の処理を行う形態である。例えば、情報処理装置は、住民基本台帳カード等の非接触ＩＣカードを用いて個人認証を行った上で住民票等の証明書を発行する装置であってもよい。また、情報処理装置は、ＰＣ（パーソナルコンピュータ）等の汎用のコンピュータにカードリーダ２が接続された形態であってもよい。また、カードリーダ２は、専用機器の形態に限るものではなく、ノート型ＰＣ又はタブレット型ＰＣ等、カードリーダ２以外の機能を有する機器に組み込まれた形態であってもよい。
【００４３】
（実施の形態１１）
実施の形態１〜１０においては、記録媒体が非接触ＩＣカードであり、本発明のデータ読み出し装置がカードリーダ２である例を示したが、本実施の形態では、データ読み出し装置は、非接触ＩＣカード以外の記録媒体から非接触でデータを読み出す形態である。例えば、記録媒体が携帯電話機であり、データ読み出し装置は、携帯電話機から電波を介して非接触でデータを読み出す形態である。
【００４４】
なお、以上の実施の形態１〜１１で説明した各形態での構成要素は、互いに組み合わせることも可能である。
【００４５】
以上のように、本発明に係るデータ読み出し装置（２）は、記録媒体に記録されたデータを電波を介して非接触で読み出すデータ読み出し装置（２）において、画像の表示面（１１）を有する画像表示部（１）と、該画像表示部（１）に、記録媒体をかざすべき前記表示面（１１）上の所定部分を表す画像を表示させる制御手段（２１）と、前記所定部分にかざされた記録媒体に記録されたデータを電波を介して非接触で読み出す読み出し手段（３）とを備えることを特徴とする。
【００４６】
本発明に係るデータ読み出し装置（２）は、前記制御手段（２１）は、前記所定部分に記録媒体をかざすべきタイミングを示す画像を前記画像表示部（１）に表示させるように構成してあることを特徴とする。
【００４７】
本発明に係るデータ読み出し装置（２）は、前記制御手段（２１）は、前記所定部分に記録媒体をかざすべき向きを示す画像を前記画像表示部（１）に表示させるように構成してあることを特徴とする。
【００４８】
本発明に係るデータ読み出し装置（２）は、前記画像表示部（１）は、一面が前記表示面（１１）になっている表示パネル（１２）を含んでおり、前記読み出し手段（３）は、記録媒体から電波を介して非接触でデータを読み出すためのアンテナ（３１）を含んでおり、該アンテナ（３１）は、前記表示パネル（１２）の他面（１４）上で前記所定部分の裏側に位置する部分に配置されてあることを特徴とする。
【００４９】
本発明に係る情報処理装置（５）は、本発明に係るデータ読み出し装置（２）と、該データ読み出し装置（２）が記録媒体から読み出したデータを使用した情報処理を実行する手段とを備えることを特徴とする。
【００５０】
本発明においては、データ読み出し装置（２）は、画像表示部（１）を備え、記録媒体をかざすべき場所として表示面（１１）上の所定部分を表す画像を表示し、かざされた記録媒体から電波を介して非接触でデータを読み出す。データ読み出し装置（２）を備える情報処理装置は、決済又は個人認証等、記録媒体から読み出されたデータを使用した処理を実行する。使用者は、表示面（１１）から視線を外さずに記録媒体をかざすべき場所を認識することができ、容易に必要な処理を情報処理装置に行われせることができる。
【００５１】
また、本発明においては、データ読み出し装置（２）は、使用者が記録媒体をかざすべきタイミングを示す画像を表示する。使用者は、表示面（１１）から視線を外さずに記録媒体をかざすタイミングを認識することができる。
【００５２】
また、本発明においては、データ読み出し装置（２）は、使用者がかざすべき記録媒体の向きを示す画像を表示する。使用者は、表示面（１１）から視線を外さずに記録媒体をかざす向きを認識することができる。データ読み出し装置（２）はデータを読み出すために適切な記録媒体の向きを指定することで、確実に非接触ＩＣカードからデータを読み出すことができる。
【００５３】
また、本発明においては、データ読み出し装置（２）は、記録媒体と電波を介して通信するためのアンテナ（３１）を有し、アンテナ（３１）は、表示パネル（１２）の裏面（１４）上で、表示面（１１）の記録媒体をかざすべき所定部分の裏側に位置する部分に配置されている。記録媒体が表示面（１１）にかざされた場合は、記録媒体からアンテナ（３１）までの距離が可及的に短くなり、記録媒体からデータを読み出すことが容易となる。
【符号の説明】
【００５４】
１  画像表示部
１１  表示面
１２  表示パネル
１３  表示制御部
１４  裏面
２  カードリーダ（データ読み出し装置）
２１  リーダ制御部
２３  タッチパネル
３  読み出し部
３１  アンテナ
３２  信号処理部
４  コピー機
４１  コピー制御部
５  情報処理装置
５１  情報処理部
【図１】
0006755683.tif 000002
【図２】
0006755683.tif 000003
【図３】
0006755683.tif 000004
【図４】
0006755683.tif 000005
【図５】
0006755683.tif 000006
【図６】
0006755683.tif 000007
【図７】
0006755683.tif 000008
【図８】
0006755683.tif 000009
【図９】
0006755683.tif 000010
【図１０】
0006755683.tif 000011
【図１１】
0006755683.tif 000012
【図１２】
0006755683.tif 000013
【図１３】
0006755683.tif 000014
【図１４】
0006755683.tif 000015
【図１５】
0006755683.tif 000016
【図１６】
0006755683.tif 000017
【図１７】
0006755683.tif 000018
【図１８】
0006755683.tif 000019
【図１９】
0006755683.tif 000020
【図２０】
0006755683.tif 000021